(57)【要約】【課題】  情報処理装置の操作制限状態の解除の為の認証において、新しい認証方法を提供することができる操作制限状態の解除の為の認証装置等の提供、又は、新たな認証方法の提供。【解決手段】  装置の操作制限の手段と、タッチパネルの操作手段と、を有する情報処理装置であって、あらかじめ所有者の複数の方向の配列を登録パターンとして記憶装置に記憶された登録パターンと、装置操作制限の解除要求時に方向検出手段から取得した複数の入力された配列を解除パターンとを比較して認証し、認証成功時に、操作制限状態の解除をおこなう。【選択図】図５
2015207130.tif 000002
【特許請求の範囲】
【請求項１】
装置の操作制限の手段と、タッチパネルの操作手段と、を有する情報処理装置であって、
前記タッチパネルに対する入力に基づいて方向を検出する方向検出手段と、
予め所有者が設定した複数の方向の配列を登録パターンとして記憶した登録パターン記憶手段と、
装置操作制限の解除要求時に前記方向検出手段から取得した複数の入力の配列を解除パターンとして取得する解除パターン取得手段と、
前記登録パターンと前記解除パターンとを比較して認証する認証手段と、
前記認証手段による認証成功時に、前記装置の操作制限の手段による制限状態を解除する操作制限解除手段と、
を備えたことを特徴とする情報処理装置。
【請求項２】
装置の操作制限の手段と、タッチパネルの操作手段と、を備えた情報処理装置に、
前記タッチパネルに対する入力に基づいて方向を検出する方向検出手段と、
前記方向検出手段を用いて所有者の複数の方向の配列を登録パターンとして予め記憶装置に記憶する登録パターン取得手段と、
装置操作制限の解除要求時に前記方向検出手段から取得した複数の入力の配列を解除パターンとして取得する解除パターン取得手段と、
前記登録パターンと前記解除パターンとを比較して認証する認証手段と、
前記認証手段による認証成功時に、前記装置の操作制限の手段による制限状態を解除する操作制限解除手段と、
を実現させるためのプログラム。
【請求項３】
装置の操作制限の手段と、タッチパネルの操作手段と、を備えた情報処理装置にて、制限状態を解除する為の認証方法であって、
前記タッチパネルに対する入力に基づいて方向を検出する方向検出工程と、
前記方向検出工程を用いて所有者の複数の方向の配列を登録パターンとして予め記憶装置に記憶する登録パターン取得工程と、
装置操作制限の解除要求時に前記方向検出工程から取得した複数の入力の配列を解除パターンとして取得する解除パターン取得工程と、
前記登録パターンと前記解除パターンとを比較して認証する認証工程と、
前記認証工程による認証成功時に、前記装置の操作制限の手段による制限状態を解除する操作制限解除工程と、
を有することを特徴とする装置の操作制限状態の解除の為の認証方法。
【発明の詳細な説明】
【技術分野】
【０００１】
この発明は、情報処理装置の操作制限状態の解除の為の認証に関するものである。
【背景技術】
【０００２】
従来、スマートフォンやタブレットのような高機能携帯端末では、電話専用携帯端末のような物理キーの操作により装置の操作制限状態の解除の為の認証をおこなうのではなく、タッチパネルを滑らするように操作する事で操作制限状態の解除の為の認証を行っている。
【０００３】
タッチパネルで操作制限状態の解除の為の主な認証方法としては、表示装置上に表示されたテンキーのオブジェクトを操作し、予め登録した数字と一致するかといったものや、表示装置上に描画された複数の円のオブジェクトをなぞるパターンにより、事前に登録されたパターンと一致するかといったもの、もしくは、表示装置上に描画されたスイッチ型のオブジェクトを操作して、あらかじめ決められた操作と一致するかといったようなものがある。
【０００４】
装置の操作制限状態中に表示されている表示部に表示されている画面全体をスライドさせる操作により、操作制限状態の解除の為の認証をおこなうものもある。
【０００５】
またタブレット型の表示部が大画面の端末装置の場合も、上記と同様の装置の操作制限状態の解除の認証方法で、装置の操作制限状態の解除をおこなっている。
【先行技術文献】
【特許文献】
【０００６】
【特許文献１】特開２０１３−１６１１５号公報（２０１３年１月２４日公開）
【特許文献２】特開２０１２−２３１２４４号公報（２０１２年１１月２２日公開）
【発明の概要】
【発明が解決しようとする課題】
【０００７】
これは、つぎのような欠点があった。
従来の携帯電話に搭載されていた物理キーは、触覚により場所の判別、押した感触が確認できたが、高機能携帯端末のタッチパネルの操作は、必ず表示装置を見ながら行う必要があり、その時、表示装置に表示されたオブジェクトを決められた通りに正しくなぞらなければならない。
【０００８】
セキュリティ面においても、表示装置上に描画されたオブジェクトをなぞるパターンにおいては、表示装置上に残る指紋等でどのようになぞったか他人知られてしまう恐れもあり、指紋を読み取りづらくする工夫が必要になる（特許文献１参照）。
【０００９】
特許文献２の端末装置のように、オブジェクトを配置せずに特定の単一方向もしくは、特定の角度で繋ぎ合わせた形状の通りに、タッチパネルを滑らせて操作することにより解除する装置もあるが、タッチパネルのどこかにその形状跡の指紋が残る恐れがある。
【００１０】
また、表示装置に表示された画面を大きくスライドさせるものについては、表示装置を注視する必要はないが、単一方向のため、誰でも容易に装置の操作制限状態の解除ができてしまいセキュリティ面で問題がある。
【００１１】
またタブレット型の表示部が大画面の端末装置の場合は、上記の同様の、装置の操作制限状態の解除の為の認証方法となるので、片手ではオブジェクトを操作することができず、両手での操作を余儀なくされる。
【００１２】
本発明は、上記のような欠点をなくすために、表示部に表示されたオブジェクトにはとらわれず、表示部に注目しなくとも容易に装置の操作制限状態の解除ができ、タッチパネルの操作領域を選ばない、かつ表示部に認証操作に一致するタッチパネルの滑らせた形跡が残らず、強固なセキュリティが担保された装置の操作制限状態の解除の為の認証を、同時に実現するためになされたものである。
【課題を解決するための手段】
【００１３】
そこで、本発明の一形態である情報処理装置は、
装置の操作制限の手段と、タッチパネルの操作手段と、を有する情報処理装置であって、
前記タッチパネルに対する入力に基づいて方向を検出する方向検出手段と、
予め所有者が設定した複数の方向の配列を登録パターンとして記憶した登録パターン記憶手段と、
装置操作制限の解除要求時に前記方向検出手段から取得した複数の入力の配列を解除パターンとして取得する解除パターン取得手段と、
前記登録パターンと前記解除パターンとを比較して認証する認証手段と、
前記認証手段による認証成功時に、前記装置の操作制限の手段による制限状態を解除する操作制限解除手段と、
を備えたことを特徴としている。
【００１４】
また、本発明の他の形態であるプログラムは、
装置の操作制限の手段と、タッチパネルの操作手段と、を備えた情報処理装置に、
前記タッチパネルに対する入力に基づいて方向を検出する方向検出手段と、
前記方向検出手段を用いて所有者の複数の方向の配列を登録パターンとして予め記憶装置に記憶する登録パターン取得手段と、
装置操作制限の解除要求時に前記方向検出手段から取得した複数の入力の配列を解除パターンとして取得する解除パターン取得手段と、
前記登録パターンと前記解除パターンとを比較して認証する認証手段と、
前記認証手段による認証成功時に、前記装置の操作制限の手段による制限状態を解除する操作制限解除手段と、
を実現させることを特徴としている。
【００１５】
装置の操作制限の手段と、タッチパネルの操作手段と、を備えた情報処理装置にて、制限状態を解除する為の認証方法であって、
前記タッチパネルに対する入力に基づいて方向を検出する方向検出工程と、
前記方向検出工程を用いて所有者の複数の方向の配列を登録パターンとして予め記憶装置に記憶する登録パターン取得工程と、
装置操作制限の解除要求時に前記方向検出工程から取得した複数の入力の配列を解除パターンとして取得する解除パターン取得工程と、
前記登録パターンと前記解除パターンとを比較して認証する認証工程と、
前記認証工程による認証成功時に、前記装置の操作制限の手段による制限状態を解除する操作制限解除工程と、
を有することを特徴としている。
【発明の効果】
【００１６】
方向を持った操作で良いので、画面のオブジェクトを操作する必要がなく、軌跡の形を意識して操作する必要もない簡単な操作であり、尚かつ複数回の入力は組み合わせは無数にあり、同じ領域で何度も入力できる為に指紋が残らないので、簡単な操作で高いセキュリティの操作制限状態の解除の為の認証をおこなうことができる。
【図面の簡単な説明】
【００１７】
【図１】端末装置構成の概略を示すブロック図
【図２】端末装置における表示画面の上下方向操作時の表示効果の一例を示す図
【図３】端末装置における表示画面の左右方向操作時の表示効果の一例を示す図
【図４】端末装置における表示画面の登録パターン入力時の表示の一例を示す図
【図５】端末装置における本発明に関する操作特徴の概略を示した図
【図６】「登録パターン設定処理」の処理動作の概略を示したフローチャート
【図７】「方向検出処理」の処理動作の概略を示したフローチャート
【図８】「操作制限状態解除の認証処理」の処理動作の概略を示したフローチャート
【発明を実施するための形態】
【００１８】
以下、本発明の具体的実施例について、図面を参照しながら説明する。なお、以下の実施態様は、本発明を具体化する際の一形態であって、本発明をその範囲内に限定するためのものではない。
【００１９】
図１は本実施例の構成の概略を示すブロック図である。
【００２０】
次に、以上の構成を有する端末装置１の処理動作の概略を図６〜図８のフローチャートを参照しつつ説明する。これらの各処理は基本的に記憶部４０に格納されているプログラムが制御部３０において実行されることで動作するものであり、制御部３０は必要に応じて記憶部４０にあるデータ若しくは各入力部、タッチパネル入力部１０、キー入力部１１から得られるユーザの入力情報などを使用しながら、端末装置からの要求に応じて各種データの演算処理を行い、必要に応じて演算結果を記憶部４０に格納しながら、結果を表示部２０に表示するものである。
【００２１】
図６は、端末装置において本実施例に関するアプリケーション（プログラム）初期設定の登録パターン設定処理に関するフローチャートである。
【００２２】
まず利用者は端末装置の初期設定より登録パターンを設定する。登録パターンは、タッチパネル入力部１０を操作する方向を方向値として配列で持つものであり、方向値が上の場合は下から上の方向に操作されたものを示す。登録パターンの設定方法は直接文字で入力するようなもの、例えば、上、下、左、右のような方法もあるが、本実施例では実際の操作制限状態解除の認証時と同様の操作を行う方法で説明する。
【００２３】
図６の登録パターン設定処理は、実際に登録パターンを入力するフローチャートを示したものである。ステップ１０１のイベント取得は、登録パターンの入力画面における、利用者の操作イベントを取得する。
【００２４】
ステップ１０２ではイベント処理がタッチパネル入力部１０を操作されたタッチイベントかを判定し、タッチイベントの場合はステップ１０３の方向検出処理を実行する。方向検出処理の戻り値として、方向を示す値が返される。例えば、上が0、下が1、左が2、右が3といった要領で、値が返される。
【００２５】
続くステップ１０４では、方向検出処理からの方向値を登録パターン配列の末尾に追加する。ステップ１０５では、ユーザがその方向に操作した事を伝える為の画面表示処理を画面、表示部２０に対しておこなう。この表示処理は例えば、方向値が上の場合は、表示中の画面が上の方向に移動されていくような、図２に示すような視覚効果を描画し、左右の場合は図３のような視覚効果を描画する。あらかじめ画面上に表示しているキャラクタが上にジャンプするようなものでも良い。また、登録パターンの設定というシーンなので、図４のように画面上に上と文字列を描画することで、ユーザの操作と認識の齟齬をなくす様にしても良い。その後またステップ１０１において、端末装置からのイベントを待機する。
【００２６】
また、タッチイベントではなかった場合は、ステップ１１０のやり直しボタンイベントが発生したかの判定をおこなう。やり直しボタンのイベントだった場合は、ステップ１１１へ進み、登録パターンの配列を全て消去し、ステップ１０１において、端末装置からのイベントを待機する。
【００２７】
利用者が登録パターンを決め、決定ボタンが押下されるとステップ１２０の決定ボタンイベントが発生したかの判定をおこなう。決定ボタンのイベントだった場合は、ステップ１２１へ進み、登録パターンを記憶部４０に保存し、登録パターンの設定を完了する。
【００２８】
図７は方向検出処理のフローチャートを示したものである。
【００２９】
ステップ２０１は方向検出処理の入力値である端末装置からのタッチイベントの種類を判定するもので、入力されたものがタッチが下ろされたイベントかの判定をおこなう。タッチが下ろされたイベントの場合は、ステップ２０２でタッチ開始地点として、タッチが下ろされたタッチパネル入力部１０の座標を記録し、ステップ２０３で次の端末装置からのタッチイベントを取得する。
【００３０】
通常のタッチパネル入力部１０の操作では、タッチが上げられるまでは、連続してタッチパネル入力部１０に対する操作イベントが取得されるが、本実施例では下ろした時と上げた時の座標のみ利用するので、ステップ２０１、ステップ２０４のいずれのタッチ操作のイベントに該当せず、ステップ２０５のタッチイベント取得で、タッチが上げられたイベントを待つ。
【００３１】
タッチが上げられた場合、ステップ２０１、ステップ２０４を経て、ステップ２０６のタッチ終了地点の、タッチが上げられたタッチパネル入力部１０の座標を記録する。
【００３２】
続くステップ２０７では、Ｘ方向移動値を求めるために、タッチ開始地点のＸ座標からタッチ終了地点のＸ座標を引き、Ｘ方向移動値とする。同様にステップ２０８では、Ｙ方向移動値を求めるために、タッチ開始地点のＹ座標からタッチ終了地点のＹ座標を引き、Ｙ方向移動値とする。
【００３３】
ステップ２０９では、変移量が多い方向を操作した方向とするために、Ｘ方向移動値の絶対値とＹ方向移動値の絶対値の大きい方を判定する。Ｘ方向移動値の変移が大きい場合はステップ２１０へ進み、さらにＸ方向移動値の値が正かを判定する。正の場合はステップ２１１に進み、方向値を右から左の操作の左方向とする。ステップ２１０の判定が負の場合は、ステップ２１２に進み、方向値を左から右の操作の右方向とする。ステップ２０９でＹ方向移動値の変移が大きい場合はステップ２２０へ進み、さらにＹ方向移動値の値が正かを判定する。正の場合はステップ２２１に進み、方向値を下から上の操作の上方向とする。ステップ２２０の判定が負の場合は、ステップ２２２に進み、方向値を上から下の操作の下方向とする。方向値が確定したら方向検出処理の戻りとして値を返す。
【００３４】
図８は端末装置の操作制限状態における、操作制限状態解除の認証処理のフローチャートを示したものである。
【００３５】
ステップ３０１では、端末装置の操作制限状態を示す表示部の表示処理をおこなう。ステップ３０２は操作制限状態中の利用者の操作イベントを取得する。
【００３６】
ステップ３０３ではイベント処理がタッチパネル入力部１０を操作されたタッチイベントかを判定し、タッチイベントの場合はステップ３０４の方向検出処理を実行する。方向検出処理の戻り値として、方向を示す値が返される。
【００３７】
続くステップ３０５では、方向検出処理からの方向値を解除パターン配列の末尾に追加する。ステップ３０６では、ユーザがその方向に操作した事を伝える為の画面表示処理をおこなう。この表示処理は例えば、方向値が上の場合は、表示中の画面が上の方向に移動されていくような視覚効果を描画する。あらかじめ画面上に表示しているキャラクタが上にジャンプするようなものでも良い。また、解除パターンの入力というシーンなので、画面上に上と文字列を描画することはセキュリティ上好ましくない。
【００３８】
ステップ３０７では、ここまで入力された解除パターン配列と、記憶部４０から取得した登録パターン配列の内容が一致しているかの判定をおこなう。一致していた場合は、ステップ３０８の操作制限状態の解除をおこなう。一致していない場合は、ステップ３０２において、端末装置からのイベントを待機する。
【００３９】
また、タッチイベントではなかった場合は、ステップ３１０のやり直しボタンイベントが発生したかの判定をおこなう。やり直しボタンのイベントだった場合は、ステップ３１１へ進み、解除パターンの配列を全て消去し、ステップ３０２において、端末装置からのイベントを待機する。
【００４０】
このようにすることで、図５のように画面上の場所を選ばず、Ａ１、Ａ２、Ａ３と連続して同じ領域で解除パターンを入力する事ができる。また、操作制限状態の解除時と、やり直しボタンを押下時には、それぞれ装置端末を固有の振動パターンで振動させる事で、画面を見なくとも入力する事が可能となる。セキュリティ面からしてみても、角度を持った線を描く必要がないので、最後の指紋以外は残らず、登録パターンの回数によりパスワードのように組み合わせの複雑さを持たせる事ができる。
【００４１】
本実施例では、登録パターンの設定を端末装置から入力する方法であったが、それに限らず、ネットワーク越しの別の端末からできるものであってもよい。
【産業上の利用可能性】
【００４２】
本発明は、装置の操作制限状態の機能を備えた、高機能携帯端末全般に適用することができる。その他にも、本発明の特徴である、指紋等で読取られずに簡単な操作という点では、タッチパネルを備えた、装置操作の制限が掛ったもの、例えば、ドアノブ装置の操作制限状態の解除の為の認証にも適用することができ、それに限らず、タッチパネルで解錠される金庫、カーシェアの認証タッチパネル等にも適用することもできる。
【符号の説明】
【００４３】
１      端末装置
１０    タッチパネル入力部
１１    キー入力部
２０    表示部
３０    制御部
４０    記憶部
【図１】
2015207130.tif 000003
【図２】
2015207130.tif 000004
【図３】
2015207130.tif 000005
【図４】
2015207130.tif 000006
【図５】
2015207130.tif 000007
【図６】
2015207130.tif 000008
【図７】
2015207130.tif 000009
【図８】
2015207130.tif 000010